(57)【要約】【課題】充電器の使用頻度を高めることが可能な携帯端末の充電方法を提供する。【解決手段】給電部を有する充電器１００により、受電部を備える携帯端末２００に充電を行わせる携帯端末の充電方法であって、充電対象となる携帯端末２００である充電対象端末の充電を開始する前に、充電対象端末２００のユーザに、所定の情報を提供する工程と、所定の情報の提供を行った後に、充電器１００による充電対象端末２００の充電を開始する工程と、を備えることを特徴とする携帯端末の充電方法。【選択図】  図１
2014023349.tif 000002
【特許請求の範囲】
【請求項１】
給電部を有する充電器により、受電部を備える携帯端末に充電を行わせる携帯端末の充電方法であって、
充電対象となる前記携帯端末である充電対象端末の充電を開始する前に、前記充電対象端末のユーザに、所定の情報を提供する工程と、
前記所定の情報の提供を行った後に、前記充電器による前記充電対象端末の充電を開始する工程と、を備えることを特徴とする携帯端末の充電方法。
【請求項２】
請求項１に記載の携帯端末の充電方法であって、
前記給電部は一次コイルを備えており、
前記受電部は二次コイルを備えており、
前記充電対象端末の充電を開始する工程では、前記一次コイルと前記二次コイルとの相互誘導による誘導起電力により、前記充電器による前記充電対象端末の充電が行われることを特徴とする携帯端末の充電方法。
【請求項３】
請求項１または２に記載の携帯端末の充電方法であって、
前記充電器により前記充電対象端末の認識を行う工程と、
前記充電対象端末が認識された場合に、前記充電対象端末のユーザに、前記所定の情報を提供することについての許可を要求する工程と、をさらに備え、
前記所定の情報を提供する工程では、前記充電対象端末のユーザにより前記所定の情報の提供が許可された場合に、前記所定の情報を、前記充電対象端末のユーザに提供することを特徴とする携帯端末の充電方法。
【請求項４】
請求項１または２に記載の携帯端末の充電方法であって、
前記所定の情報を提供する工程では、前記充電対象端末に、前記所定の情報の提供を許可するための二次元コードを読み取らせることにより、前記充電対象端末のユーザにより前記所定の情報を提供することについて許可されたものと判断し、前記所定の情報を、前記充電対象端末のユーザに提供することを特徴とする携帯端末の充電方法。
【請求項５】
請求項１または２に記載の携帯端末の充電方法であって、
前記所定の情報を提供する工程では、前記充電対象端末以外の携帯端末に、前記所定の情報の提供を許可するための二次元コードを読み取らせることにより、前記充電対象端末のユーザにより前記所定の情報を提供することについて許可されたものと判断し、前記所定の情報を、前記充電対象端末のユーザに提供することを特徴とする携帯端末の充電方法。
【請求項６】
請求項１〜５のいずれかに記載の携帯端末の充電方法であって、
前記所定の情報を提供する工程では、外部サーバに記憶された前記所定の情報を、前記外部サーバから前記充電器および／または前記充電対象端末に送信し、送信した前記所定の情報を、前記充電器および／または前記充電対象端末に提示させることにより、前記所定の情報を、前記充電対象端末のユーザに提供することを特徴とする携帯端末の充電方法。
【請求項７】
請求項１〜６のいずれかに記載の携帯端末の充電方法であって、
前記所定の情報を提供する工程では、前記所定の情報を、前記充電対象端末のユーザが有する前記充電対象端末以外の携帯端末に送信することで、前記所定の情報を、前記充電対象端末のユーザに提供することを特徴とする携帯端末の充電方法。
【請求項８】
請求項１〜７のいずれかに記載の携帯端末の充電方法であって、
前記所定の情報は、広告情報であることを特徴とする携帯端末の充電方法。
【請求項９】
請求項８に記載の携帯端末の充電方法であって、
前記充電器および／または前記充電対象端末の位置を識別するための情報を取得する工程と、
前記充電対象端末のユーザに提供する前記広告情報を、前記充電器および／または充電端末装置の位置を識別するための情報に基づいて決定する工程と、をさらに備え、
前記所定の情報を提供する工程では、前記充電器および／または前記充電対象端末の位置を識別するための情報に基づいて決定された前記広告情報を、前記充電対象端末のユーザに提供することを特徴とする携帯端末の充電方法。
【請求項１０】
請求項１〜９のいずれかに記載の携帯端末の充電方法であって、
前記携帯端末装置の充電が終了した場合に、前記携帯端末装置の充電が終了したことを、前記携帯端末装置のユーザに報知する工程をさらに備えることを特徴とする携帯端末の充電方法。
【発明の詳細な説明】
【技術分野】
【０００１】
本発明は、携帯端末の充電方法に関するものである。
【背景技術】
【０００２】
従来より、従量に応じた課金を行うことで、コンビニエンスストアなどに設置された充電器で、携帯端末の充電を行う方法が提案されている（たとえば、特許文献１参照）。
【先行技術文献】
【特許文献】
【０００３】
【特許文献１】特開２００８−２４５３５９号公報
【発明の概要】
【発明が解決しようとする課題】
【０００４】
しかしながら、従来技術は、携帯端末の充電を有料で行うものであるため、携帯端末のユーザが充電器を使用するメリットは小さく、携帯端末のユーザにより充電器が使用され難いという問題があった。
【０００５】
本発明が解決しようとする課題は、充電器を使用する携帯端末のユーザが、外出先などで、気軽にかつ簡便に充電器を利用することが可能な携帯端末の充電方法を提供することである。
【０００６】
この発明は、以下の解決手段によって上記課題を解決する。なお、発明の実施形態を示す図面に対応する符号を付して説明するが、この符号は発明の理解を容易にするためだけのものであって発明を限定する趣旨ではない。
【０００７】
［１］本発明に係る携帯端末の充電方法は、給電部を有する充電器（１００）により、受電部を備える携帯端末に充電を行わせる携帯端末（２００）の充電方法であって、充電対象となる前記携帯端末である充電対象端末の充電を開始する前に、前記充電対象端末のユーザに、所定の情報を提供する工程と、前記所定の情報の提供を行った後に、前記充電器による前記充電対象端末の充電を開始する工程と、を備えることを特徴とする。
【０００８】
［２］上記携帯端末の充電方法に係る発明において、前記給電部は一次コイル（１２０）を備えており、前記受電部は二次コイル（２２０）を備えており、前記充電対象端末（２００）の充電を開始する工程では、前記一次コイルと前記二次コイルとの相互誘導による誘導起電力により、前記充電器（１００）による前記充電対象端末の充電が行われるように構成することができる。
【０００９】
［３］上記携帯端末の充電方法に係る発明において、前記充電器（１００）により前記充電対象端末（２００）の認識を行う工程と、前記充電対象端末が認識された場合に、前記充電対象端末のユーザに、前記所定の情報を提供することについての許可を要求する工程と、をさらに備え、前記所定の情報を提供する工程では、前記充電対象端末のユーザにより前記所定の情報の提供が許可された場合に、前記所定の情報を、前記充電対象端末のユーザに提供するように構成することができる。
【００１０】
［４］上記携帯端末の充電方法に係る発明において、前記所定の情報を提供する工程では、前記充電対象端末（２００）に、前記所定の情報の提供を許可するための二次元コードを読み取らせることにより、前記充電対象端末のユーザにより前記所定の情報を提供することについて許可されたものと判断し、前記所定の情報を、前記充電対象端末のユーザに提供するように構成することができる。
【００１１】
［５］上記携帯端末の充電方法に係る発明において、前記所定の情報を提供する工程では、前記充電対象端末（２００）以外の携帯端末に、前記所定の情報の提供を許可するための二次元コードを読み取らせることにより、前記充電対象端末のユーザにより前記所定の情報を提供することについて許可されたものと判断し、前記所定の情報を、前記充電対象端末のユーザに提供するように構成することができる。
【００１２】
［６］上記携帯端末の充電方法に係る発明において、前記所定の情報を提供する工程では、外部サーバ（３００）に記憶された前記所定の情報を、前記外部サーバから前記充電器（１００）および／または前記充電対象端末（２００）に送信し、送信した前記所定の情報を、前記充電器および／または前記充電対象端末に提示させることにより、前記所定の情報を、前記充電対象端末のユーザに提供するように構成することができる。
【００１３】
［７］上記携帯端末の充電方法に係る発明において、前記所定の情報を提供する工程では、前記所定の情報を、前記充電対象端末（２００）のユーザが有する前記充電対象端末以外の携帯端末に送信することで、前記所定の情報を、前記充電対象端末のユーザに提供するように構成することができる。
【００１４】
［８］上記携帯端末の充電方法に係る発明において、前記所定の情報は、広告情報であるように構成することができる。
【００１５】
［９］上記携帯端末の充電方法に係る発明において、前記充電器（１００）および／または前記充電対象端末（２００）の位置を識別するための情報を取得する工程と、前記充電対象端末のユーザに提供する前記広告情報を、前記充電器および／または充電端末装置の位置を識別するための情報に基づいて決定する工程と、をさらに備え、前記所定の情報を提供する工程では、前記充電器および／または前記充電対象端末の位置を識別するための情報に基づいて決定された前記広告情報を、前記充電対象端末のユーザに提供するように構成することができる。
【００１６】
［１０］上記携帯端末の充電方法に係る発明において、前記携帯端末装置（２００）の充電が終了した場合に、前記携帯端末装置の充電が終了したことを、前記携帯端末装置のユーザに報知する工程をさらに備えるように構成することができる。
【発明の効果】
【００１７】
本発明によれば、充電器を使用する携帯端末のユーザが、外出先などで、気軽にかつ簡便に充電器を利用することができる。
【図面の簡単な説明】
【００１８】
【図１】図１は、本実施形態に係る携帯端末充電システムを示すブロック図である。
【図２】図２は、携帯端末装置を充電している際の充電器および携帯端末装置の斜視図である。
【図３】図３は、本実施形態に係る携帯端末充電システムの動作を示すフローチャートである。
【図４】図４は、携帯端末装置のモニター、および、携帯端末装置のモニターに表示される画面の一例を示す図である。
【発明を実施するための形態】
【００１９】
以下、本発明の実施形態を図面に基づいて説明する。ここで、図１は、本実施形態に係る携帯端末充電システムを示すブロック図であり、図２は、携帯端末装置を充電している際の充電器および携帯端末装置の斜視図である。なお、図１においては、信号線を破線で、電力線を実線で表している。
【００２０】
図１に示すように、本実施形態の携帯端末充電システムは、充電器１００、携帯端末装置２００、およびサーバ３００から構成されており、図２に示すように、携帯端末装置２００を充電器１００の上面に載置して、非接触充電により、携帯端末装置２００を充電することが可能となっている。以下、本実施形態の携帯端末充電システムを構成する各構成について具体的に説明する。
【００２１】
充電器１００は、携帯端末装置２００のバッテリ２４０を充電するための充電器であり、たとえば、ビジネスホテル、コンビニエンスストア、ファーストフード店などに設置されている。本実施形態において、充電器１００は、図１に示すように、充電器側制御装置１１０、送電コイル１２０、充電器側通信装置１３０、電源装置１４０、および報知装置１５０を備えている。
【００２２】
充電器側制御装置１１０は、充電器１００の各構成の制御を行うものである。また、充電器側制御装置１１０は、充電器１００とサーバ３００との間の通信を制御しており、たとえば、サーバ３００に対して、充電器１００の位置情報を送信するとともに、サーバ３００から、充電器１００の位置に応じた広告情報を受信することができる。
【００２３】
送電コイル１２０は、携帯端末装置２００の受電コイル２２０と磁気結合し、受電コイル２２０との相互誘導による誘導起電力により、受電コイル２２０に電力を供給する。また、本実施形態では、後述するように、送電コイル１２０を介して、充電器１００と携帯端末装置２００との間で通信が行われる。
【００２４】
充電器側通信装置１３０は、送電コイル１２０を介して、携帯端末装置２００の端末側通信装置２３０との間の通信を行う。たとえば、充電器側通信装置１３０は、送電コイル１２０から送電する電力の周波数に、サーバ３００から受信した広告情報に応じた高周波信号を重畳することで、サーバ３００から受信した広告情報を、携帯端末装置２００に送信することができる。
【００２５】
電源装置１４０は、商用電源に接続しており、商用電源から供給された電力を、充電器１００の各構成に供給する。
【００２６】
報知装置１５０は、スピーカやＬＥＤなどから構成され、充電器１００を利用する携帯端末装置２００のユーザに、警報を報知する。たとえば、本実施形態において、報知装置１５０は、充電器１００で携帯端末装置２００を充電している際の携帯端末装置２００の盗難を防止するために、所定の充電解除操作が行われずに、携帯端末装置２００が充電器１００から取り上げられた場合などに、スピーカからブザー音を出力したり、ＬＥＤを発光させることで、携帯端末装置２００のユーザに警報を報知する。
【００２７】
携帯端末装置２００は、たとえば、デジタルカメラや携帯電話機などの携帯端末であり、本実施形態では、携帯端末装置２００として、デジタルカメラを例示して説明する。携帯端末装置２００は、図１に示すように、端末側制御装置２１０、受電コイル２２０、端末側通信装置２３０、バッテリ２４０、バッテリセンサ２５０、メモリ２６０、およびモニター２７０を備えている。
【００２８】
受電コイル２２０は、充電器１００の送電コイル１２０と磁気結合し、充電器１００の送電コイル１２０から送電された電力を受電する。受電コイル２２０により受電された電力は、端末側制御装置２１０を介して、バッテリ２４０に蓄電される。
【００２９】
端末側通信装置２３０は、受電コイル２２０を介して、充電器１００の端末側通信装置１３０との間で通信を行う。たとえば、端末側通信装置２３０は、受電コイル２２０により受電される電力の周波数に、携帯端末装置２００に関する端末情報を重畳することで、受電コイル２２０を介して、携帯端末装置２００の端末情報を、充電器１００に送信する。なお、携帯端末装置２００に関する端末情報には、携帯端末装置２００のユーザを識別するためのユーザ識別情報（たとえば、携帯端末ＩＤ、メールアドレス、電話番号などの情報）や、バッテリ２４０の充電状態を示す情報（たとえば、ＳＯＣ（State of charge）情報）が含まれる。また、端末側通信装置２３０は、受電コイル２２０を介して、充電器１００の充電器側通信装置１３０から送信された広告情報などの情報を受信する。なお、端末側通信装置２３０により受信された情報は、端末側制御装置２１０を介して、メモリ２６０に一時的に記憶される。
【００３０】
バッテリ２４０は、充放電可能な電源であり、たとえば、リチウムイオンやニッケル水素などの二次電池から構成される。バッテリ２４０は、携帯端末装置２００の各構成に電力を供給するとともに、図２に示すように、携帯端末装置２００が充電器１００の上面に載置され、バッテリ２４０の充電が開始された場合には、受電コイル２２０により受電した電力を蓄電する。
【００３１】
バッテリセンサ２５０は、バッテリ２４０の充電状態を検出するセンサである。たとえば、バッテリセンサ２５０は、図示しない電圧センサおよび電流センサにより検出した電圧値および電流値に基づいて、バッテリ２４０の充電量および放電量を検出することで、バッテリ２４０の充電量を検出する。また、バッテリセンサ２５０は、バッテリ２４０の温度などの検出も行う。なお、バッテリセンサ２５０により検出されたバッテリ２４０の充電状態は、携帯端末装置２００の端末情報を構成する情報として、充電器１００に送信され、充電器１００の充電器側制御装置１１０により、バッテリ２４０の充電が完了したか否かを判断する際に用いられることとなる。
【００３２】
モニター２７０は、携帯端末装置２００のユーザに提供するための各種情報を表示する。たとえば、本実施形態においては、サーバ３００から送信される広告情報や、バッテリ２４０の充電状態などの情報が、モニター２７０に表示される。
【００３３】
サーバ３００は、充電器１００の外部に設置されるサーバであり、インターネット回線４００を介して充電器１００と接続されている。サーバ３００は、図１に示すように、サーバ側制御装置３１０およびデータベース３２０を備えている。
【００３４】
サーバ側制御装置３１０は、充電器１００からの要求に応じて、複数の情報が記憶されているデータベース３２０を検索し、充電器１００の要求に応じた情報を充電器１００に送信する。本実施形態では、データベース３２０に、携帯端末装置２００のユーザに関するユーザ情報や、携帯端末装置２００のユーザに提供する広告情報が登録されており、サーバ側制御装置３１０は、携帯端末装置２００のユーザのユーザ情報や、携帯端末装置２００のユーザに適した広告情報を、充電器１００に送信する。
【００３５】
次に、図３を参照して、本実施形態に係る携帯端末充電システムの動作を説明する。図３は、本実施形態に係る携帯端末充電システムの動作を示すフローチャートである。なお、以下に説明する携帯端末充電システムの動作は、たとえば、充電器１００の電源がオンになることで開始される。
【００３６】
まず、ステップＳ１０１では、充電器１００の充電器側制御装置１１０により、充電対象である携帯端末装置２００の検出が行われる。携帯端末装置２００が検出された場合には、ステップＳ１０２に進み、一方、携帯端末装置２００が検出されない場合には、ステップＳ１０１で待機する。
【００３７】
ステップＳ１０２では、充電器側制御装置１１０により、携帯端末装置２００に対する電力供給が開始される。なお、ステップＳ１０２の携帯端末装置２００に対する電力供給は、充電器１００と携帯端末装置２００との間で通信を行うための電力を供給するものであり、充電器１００と携帯端末装置２００との間で通信を行うために必要最小限の電力を供給すればよい。
【００３８】
ステップＳ１０３では、充電器１００と携帯端末装置２００との間における通信が開始される。なお、本実施形態では、充電器１００と携帯端末装置２００との間における通信は、送電コイル１２０および受電コイル２２０を介して行われる。すなわち、充電器１００の充電器側通信装置１３０により、送電コイル１２０から送電する電力に重畳して、広告情報などの情報が携帯端末装置２００に送信されるとともに、携帯端末装置２００の端末側通信装置２３０により、受電コイル２２０で受電する電力に重畳して、携帯端末装置２００に関する端末情報が充電器１００に送信される。
【００３９】
なお、本実施形態では、ステップＳ１０３で、充電器１００と携帯端末装置２００との間における通信が開始されると、端末側通信装置２３０は、たとえば、受電コイル２２０により受電される電力の周波数に、携帯端末装置２００の端末情報に応じた高周波信号を重畳させることで、端末情報を、充電器１００に送信する。なお、充電器１００に送信される携帯端末装置２００の端末情報としては、携帯端末装置２００のユーザを識別するためのユーザ識別情報や、携帯端末装置２００のバッテリ２４０の充電状態などの情報が含まれる。
【００４０】
ステップＳ１０４では、サーバ３００のサーバ側制御装置３１０により、携帯端末装置２００のユーザのユーザ情報が、データベース３２０に登録されているか否かの判断が行われる。具体的には、まず、充電器側制御装置１１０により、携帯端末装置２００から受信した端末情報がサーバ３００に送信される。そして、サーバ３００のサーバ制御装置３１０により、たとえば、受信した携帯端末装置２００の端末情報に含まれるユーザ識別情報（たとえば、携帯端末ＩＤ、メールアドレス、電話番号など）に基づいて、携帯端末装置２００のユーザのユーザ情報が、データベース３２０に登録されているかの判断が行われる。携帯端末装置２００のユーザのユーザ情報が、データベース３２０に登録されている場合には、携帯端末装置２００のユーザにより広告情報の提供が許可されているものと判断し、ステップＳ１０７に進み、一方、携帯端末装置２００のユーザのユーザ情報が、データベース３２０に登録されていない場合には、ステップＳ１０５に進む。
【００４１】
ステップＳ１０５では、充電器１００の充電器側制御装置１１０により、携帯端末装置２００のユーザに、広告情報を提供することについての許可の要求が行われる。ここで、図４は、携帯端末装置２００のモニター２７０、および携帯端末装置２００のモニター２７０に表示される画面の一例を示す図である。図４（Ａ）に示すように、携帯端末２００の背面にはモニター２７０が設けられており、充電器１００の充電器側制御装置１１０は、たとえば、図４（Ｂ）に示すように、携帯端末装置２００のモニター２７０に「広告を許可しますか？」などのメッセージを表示させることで、携帯端末装置２００のユーザに、広告情報を提供することについての許可を要求する。
【００４２】
そして、ステップＳ１０６では、充電器１００の充電器側制御装置１１０により、携帯端末装置２００のユーザにより広告情報の提供が許可されたか否かの判断が行われる。たとえば、図４（Ｂ）に示すように、「広告を許可しますか？」とのメッセージに対して、携帯端末装置２００のユーザにより「はい」が選択された場合には、充電器側制御装置１１０は、携帯端末装置２００のユーザにより広告情報の提供が許可されたものと判断し、ステップＳ１０７に進む。一方、図４（Ｂ）に示す例において、携帯端末装置２００のユーザにより「いいえ」が選択された場合には、充電器側制御装置１１０は、携帯端末装置２００のユーザにより広告情報の提供が拒否されたものと判断し、ステップＳ１１９に進む。
【００４３】
なお、携帯端末装置２００のユーザにより広告情報の提供が許可されたか否かを判断する方法は、上述した方法に限定されず、たとえば、以下のような方法を用いる構成としてもよい。すなわち、広告情報の提供を許可するためのＱＲコード（登録商標）が、充電器１００に貼付されている場合において、携帯端末装置２００のユーザが、携帯端末装置２００を用いて、ＱＲコードを読み取り、ＱＲコードに記録されているメールアドレスにメールを送信した場合には、メールを受信したサーバ３００のサーバ側制御装置３１０により、携帯端末装置２００のユーザにより広告情報の提供が許可されたものと判断する構成としてもよい。
【００４４】
ステップＳ１０７では、サーバ３００のサーバ側制御装置３１０により、携帯端末装置２００のユーザに提供する広告情報の選択が行われる。具体的には、まず、充電器側制御装置１１０により、充電器１００が設置されている位置情報が、インターネット回線４００を介して、サーバ３００に送信される。そして、サーバ側制御装置３１０により、受信された充電器１００の位置情報に基づいて、データベース３２０に記憶された広告情報の中から、充電器１００が設置されている位置に応じた広告情報が選択される。
【００４５】
たとえば、充電器１００が設置されている位置がファーストフード店であり、現在時刻が昼である場合、サーバ側制御装置３１０は、充電器１００を利用するユーザは高校生が多いものと判断し、高校生をターゲットとした広告情報を選択する。また、たとえば、充電器１００が設置されている位置がビジネスホテルである場合、サーバ側制御装置３１０は、宿泊するビジネスマンをターゲットとして、周辺の飲食店の広告情報を選択することもできる。さらに、サーバ側制御装置３１０は、充電器１００の位置情報や現在時刻の他に、充電器１００の設置されたエリアの天気情報を用いて、より広告効果の高い広告情報を選択することもできる。加えて、サーバ側制御装置３１０は、データベース３２０に登録された携帯端末装置２００のユーザのユーザ情報を参照することで、携帯端末装置２００のユーザに適合した広告情報を選択することもできる。
【００４６】
そして、ステップＳ１０８では、サーバ３００のサーバ側制御装置３１０により、ステップＳ１０７で選択された広告情報が、携帯端末装置２００のユーザに提供される。なお、携帯端末装置２００のユーザに広告情報を提供する方法は、特に限定されるものではなく、たとえば、携帯端末装置２００がメール通信機能を備える場合には、サーバ３００から携帯端末装置２００に広告情報をメールで配信し、携携帯末装置２００のモニター２７０に広告情報を表示させることで、携帯端末装置２００のユーザに広告情報を提供することができる。また、充電器１００がモニターを備えている場合には、サーバ３００から充電器１００に広告情報を送信し、充電器１００のモニターに広告情報を表示させる構成としてもよい。さらに、サーバ３００からインターネット回線を介して充電器１００に広告情報を送信し、さらに、充電器１００から携帯端末装置２００に、送電コイル１２０および受電コイル２２０を介して広告情報を送信することで、携携帯末装置２００のモニター２７０に広告情報を表示させる構成としてもよい。あるいは、サーバ３００から、携帯端末装置２００のユーザが有する携帯端末装置２００以外の携帯端末に広告情報を送信し、携帯端末装置２００以外の携帯端末で広告情報を提示することで、携帯端末装置２００のユーザに広告情報を提供する構成としてもよい。
【００４７】
ステップＳ１０９では、充電器１００の充電器側制御装置１１０により、携帯端末装置２００のバッテリ２４０の充電が開始される。すなわち、充電器側制御装置１１０は、バッテリ２４０を充電するための電力を、送電コイル１２０を介して、携帯端末装置２００に提供する。これにより、携帯端末装置２００のバッテリ２４０の充電が開始されることとなる。
【００４８】
ステップＳ１１０では、バッテリセンサ２５０により検出されたバッテリ２４０の充電状態を、携帯端末装置２００のユーザに提示する処理が行われる。なお、バッテリ２４０の充電状態を携帯端末装置２００のユーザに提示する方法は、特に限定されず、たとえば、端末側制御装置２１０により、図４（Ｃ）に示すように、「充電中、完了まで約○○分」などのバッテリ２４０の充電残り時間や充電率を、モニター２７０に表示させることで、バッテリ２４０の充電状態を、携帯端末装置２００のユーザに提示することができる。また、充電器１００にモニターを備える場合には、充電器側制御装置１１０により、充電器１００のモニターに、バッテリ２４０の充電状態を表示させることで、バッテリ２４０の充電状態を、携帯端末装置２００のユーザに提示する構成としてもよい。さらに、図４（Ｄ）に示すように、バッテリ２４０の充電中に、携帯端末装置２００のユーザが周辺のレストラン情報を取得できるように、バッテリ２４０の充電状態とともに、周辺のレストランの情報を、モニター２７０に表示させる構成としてもよい。
【００４９】
そして、ステップＳ１１１では、充電器１００の充電器側制御装置１１０により、携帯端末装置２００のバッテリ２４０が満充電であるか否かの判断が行われる。具体的には、充電器側制御装置１１０は、携帯端末装置２００から、バッテリ２４０の充電状態を含む端末情報を所定間隔で受信しており、受信したバッテリ２４０の充電状態に基づいて、携帯端末装置２００のバッテリ２４０が満充電であるか否かを判断する。そして、バッテリ２４０が満充電であると判断された場合には、ステップＳ１１２に進み、一方、バッテリ２４０の充電が満充電ではないと判断された場合には、ステップＳ１１５に進む。
【００５０】
ステップＳ１１２では、充電器１００の充電器側制御装置１１０により、携帯端末装置２００のバッテリ２４０が満充電であると判断されているため、バッテリ２４０の充電を完了する処理が行われる。なお、バッテリ２４０の充電を完了する処理により、ステップＳ１０２で開始された電力供給の提供も終了される。
【００５１】
そして、ステップＳ１１３では、充電器側制御装置１１０により、バッテリ２４０の充電が完了した旨の報知が、携帯端末装置２００のユーザに対して行われる。なお、バッテリ２４０の充電が完了したことを報知する方法は、特に限定されず、たとえば、携帯端末装置２００がメール通信機能を備える場合には、バッテリ２４０の充電が完了したことを示すメールを、携帯端末装置２００、または、携帯端末装置２００のユーザが有する携帯端末装置２００以外の携帯端末に送信することで、携帯端末装置２００のユーザにバッテリ２４０の充電が完了したことを報知することができる。また、充電器１００にモニターを備えている場合には、充電器１００のモニターに、バッテリ２４０の充電が完了したことを示すメッセージを表示させることで、携帯端末装置２００のユーザにバッテリ２４０の充電が完了したことを報知する構成としてもよい。
【００５２】
そして、ステップＳ１１３でバッテリ２４０の充電が完了したことを報知した後は、ステップＳ１１４に進み、充電器側制御装置１１０により、充電器１００の電源がオフにされたか否かの判断が行われる。充電器１００の電源がオフにされていない場合には、このステップＳ１１４で待機し、充電器１００の電源がオフにされた場合には、ステップＳ１０１に戻り、上述した携帯端末充電システムの動作を繰り返す。
【００５３】
一方、ステップＳ１１１で、携帯端末装置２００のバッテリ２４０が満充電ではないと判断された場合には、ステップＳ１１５に進む。ステップＳ１１５では、充電器側制御装置１１０により、所定の充電解除操作が行われたか否かの判断が行われる。ここで、本実施形態では、携帯端末装置２００のバッテリ２４０を充電している間に、携帯端末装置２００が第三者に盗難されることを防ぐため、携帯端末装置２００を充電器１００から移動させる際に所定の充電解除操作が必要とされている。ステップＳ１１５では、このような携帯端末装置２００の盗難を防止するために、所定の充電解除操作が行われたか否かを判断し、所定の充電解除操作が行われていない場合には、ステップＳ１１７に進む。一方、所定の充電解除操作が行われた場合には、携帯端末装置２００のユーザにより携帯端末装置２００のバッテリ２４０の充電が中断されたものと判断し、ステップＳ１１６に進み、充電器側制御装置２１０により、バッテリ２４０の充電を終了する処理が行われる。なお、バッテリ２４０の充電を終了する処理により、ステップＳ１０２で開始された電力供給の提供も終了される。
【００５４】
ステップＳ１１７では、充電器側制御装置１１０により、ステップＳ１０１と同様に、携帯端末装置２００の検出が行われる。そして、携帯端末装置２００が検出された場合には、ステップＳ１１０に戻り、携帯端末装置２００のバッテリ２４０の充電が継続して行われる。一方、携帯端末装置２００が検出されなかった場合には、携帯端末装置２００の盗難を防ぐために、ステップＳ１１８に進み、報知装置１５０による警報の報知が行われる。たとえば、報知装置１５０は、スピーカにブザー音を出力させ、あるいは、ＬＥＤを発光させることにより、携帯端末装置２００のユーザに警報を報知する。その後、ステップＳ１１６に進み、充電が終了された後、ステップＳ１１４に進み、充電器１００の電源がオフされることで、ステップＳ１１８の警報が解除されて、ステップＳ１０１に戻る。
【００５５】
また、ステップＳ１０６において、携帯端末装置２００のユーザにより広告情報の提供が拒否された場合には、ステップＳ１１９に進む。ステップＳ１１９では、バッテリ２４０の充電を行えない旨の警告の報知が行われる。たとえば、携帯端末装置２００の端末側制御装置２１０は、図４（Ｅ）に示すように、「充電できません」などのバッテリ２４０の充電を行えない旨のメッセージを、モニター２７０に表示することで、バッテリ２４０の充電を行えない旨の警告を、携帯端末装置２００のユーザに報知することができる。また、充電器１００の充電器側制御装置１１０により、警告装置１５０に、ブザー音を出力させ、あるいは、ＬＥＤを発光させることで、バッテリ２４０の充電を行えない旨の警告を、携帯端末装置２００のユーザに報知する構成としてもよい。
【００５６】
そして、ステップＳ１１９で、バッテリ２４０の充電を行えない旨の警告を行った後は、ステップＳ１２０に進み、ステップＳ１０２で開始された携帯端末装置２００に対する電力供給が終了される。その後、ステップＳ１１４に進み、充電器１００の電源がオフに設定されるまで待機し、充電器１００の電源がオフに設定されることで、ステップＳ１１９の警告は解除され、ステップＳ１０１に戻ることとなる。
【００５７】
以上のように、本実施形態に係る携帯端末充電システムでは、携帯端末装置２００の充電を開始する前に、携帯端末装置２００のユーザに広告情報が提供され、ユーザに広告が提供された後に、携帯端末装置２００の充電が開始される。このように、本実施形態では、携帯端末装置２００の充電を開始する前に、携帯端末装置２００のユーザに広告情報を提供することで、携帯端末装置２００のユーザに広告情報を提供することによる広告収入で、充電器１００の投資コストを適切に回収することができ、これにより、携帯端末装置２００のユーザに、無料で、充電器１００を使用させることができる。その結果、携帯端末装置２００のユーザは、外出先で、気軽にかつ簡便に、充電器１００を使用することができる。また、本実施形態では、携帯端末装置２００のユーザに、無料で、充電器１００を使用させることで、携帯端末装置２００のユーザによる充電器１００の使用頻度を高めることができるため、充電器１００を設置する者にとっても、さらなる広告収入を得ることが可能となり、これにより、充電器１００がさらに設置されることで、携帯端末装置２００のユーザが充電器１００を利用する機会が増し、充電器１００を利用する携帯端末装置２００のユーザの利便性も向上することもできる。
【００５８】
また、本実施形態では、充電器１００の設置されている位置が固定されているため、充電器１００が設置されている位置に応じて、充電器１００周辺の飲食店などの広告情報を選択することで、携帯端末装置２００のユーザに提供する広告情報の広告効果を向上させることができる。さらに、本実施形態では、携帯端末装置２００の充電を、非接触充電により行うことができるため、携帯端末装置２００の充電を容易に行うことができる。
【００５９】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６０】
たとえば、上述した実施形態では、充電器１００の電源がオンになった場合に、上述した携帯端末充電システムの動作を開始する構成を例示したが、たとえば、携帯端末装置２００により、充電器１００に貼付されたＱＲコードを読み取り、ＱＲコードに記録されているメールアドレスにメールを送信することで、メールを受信したサーバ３００から携帯端末装置２００に対して広告情報を配信し、これにより、サーバ側制御装置３１０の指示により、充電器１００の電源をオンにすることで、携帯端末装置２００の充電を可能とする構成としてもよい。
【００６１】
また、上述した実施形態では、サーバ３００に備えるデータベース３２０に、携帯端末装置２００のユーザに提供するための広告情報が登録されており、サーバ側制御装置３１０が、充電器１００の位置情報に応じた広告情報を、充電器１００および／または携帯端末装置２００に送信し、送信した広告情報を、充電器１００および／または携帯端末装置に提示させることで、携帯端末装置２００のユーザに広告情報を提供する構成を例示したが、この構成に限定されるものではなく、たとえば、充電器１００が広告情報を記憶しており、充電器１００に記憶されている広告情報を、充電器１００および／または携帯端末装置２００に提示させることで、携帯端末装置２００のユーザに広告情報を提供する構成としてもよい。
【符号の説明】
【００６２】
１００…充電器
１１０…充電器側制御装置
１２０…送電コイル
１３０…充電器側通信制置
１４０…電源装置
２００…携帯端末装置
２１０…端末側制御装置
２２０…受電コイル
２３０…端末側通信装置
２４０…バッテリ
２５０…バッテリセンサ
２７０…モニター
３００…サーバ
３１０…サーバ側制御装置
３２０…データベース
【図１】
2014023349.tif 000003
【図２】
2014023349.tif 000004
【図３】
2014023349.tif 000005
【図４】
2014023349.tif 000006